(57)【要約】【課題】ペットボトルに入れやすく、ペットボトル内から容易に除去することができ、茶成分の抽出効率を高めることができるペットボトル用ティーバッグを提供する。【解決手段】透水性を有する細長形状の袋体１ａの内部に茶葉４を備え、袋体１ａの材料生地の端どうしが重なることなく、袋体１ａの長手方向の両端において熱融着させて接着しており、この両端に接着部２ａ，２ｂが形成されている。また、この両端の中心位置間においても重なることなく熱融着により接着して接着部３が形成されている。材料生地としては、ポリ乳酸を使用している。これにより、材料生地が重なっていないため折り曲げやすいものとすることができ、さらに内容量を最大限に利用することができため、茶葉の抽出効率を高めることができる。【選択図】  図１
2006248605.tif 000002
【特許請求の範囲】
【請求項１】
透水性を備えた細長形状の袋体の内部に茶葉を有するティーバッグにおいて、
前記袋体は、長手方向の両端において材料生地の端どうしを接着してなることを特徴とするペットボトル用ティーバッグ。
【請求項２】
さらに前記袋体は、長手方向の両端の中心位置間において材料生地の端どうしを接着してなる請求項１に記載のペットボトル用ティーバッグ。
【請求項３】
前記材料生地の一部または全部は、熱融着性繊維である請求項１または２に記載のペットボトル用ティーバッグ。
【請求項４】
前記袋体は、長手方向の両端が尖形である請求項１から３のいずれかに記載のペットボトル用ティーバッグ。
【発明の詳細な説明】
【技術分野】
【０００１】
本発明は、そのままペットボトルに入れることができるペットボトル用のティーバッグに関し、特に使用後に除去しやすいティーバッグに関する。
【背景技術】
【０００２】
使用済みのペットボトルを利用した、茶飲料等を作るために茶葉を内包したティーバッグが知られている。このティーバッグの形状としては、ペットボトルの注ぎ口の内径よりも小さく、そのままペットボトルに入れることができる細長形状のものが知られている（例えば、特許文献１，２参照。）。
【０００３】
ティーバッグの形状を細くすると、ティーバッグの容量が小さくなり、この内部に充填するための原料茶葉（以下、茶葉と称す）の使用量に制約があったり、茶葉の抽出効率が不充分だったりするなどの問題が発生する。このようなペットボトル用ティーバッグ内での茶葉の抽出効率を高めるために、特許文献１には、茶原料（茶葉）の充填されていない空間部分を大きくしたペットボトル用袋詰め茶が記載されている。このペットボトル用袋詰め茶は、内部に空間部分を設けたことにより、茶原料（茶葉）の抽出効率を上げることが可能であるとしている。
【０００４】
【特許文献１】特開平１０−５６９６５号公報
【特許文献２】実用新案登録第３０８１４９８号公報
【発明の開示】
【発明が解決しようとする課題】
【０００５】
従来のティーバッグの形状の概要について、図３に示す。図３（ａ）はティーバッグの正面図、図３（ｂ）は図３（ａ）のＡ−Ａ線断面図、図３（ｃ）および図３（ｄ）は図３（ａ）のＢ−Ｂ線断面拡大図である。図３に示すように、ティーバッグ２１の長手方向の両端部において、この材料生地を重ねて接着させた接着縁部２２ａ，２２ｂが形成されている。これらの接着縁部２２ａ，２２ｂは、材料生地が重ねられて形成されているため、長手方向の端部においては強度が大きいものとなる。このため、ティーバッグ２１は、ペットボトルに入れにくかったり、ペットボトルに入れた後の回収時に接着縁部２２ａ，２２ｂの一方がペットボトル内で引っ掛かり、容易に取り出すことができなかったりするという問題がある。
【０００６】
さらに、この接着縁部２２ａ，２２ｂが形成されていることにより、その接着面に相当する部分は、茶葉を充填することができない。このため、ティーバッグ２１の長手方向の内容量を最大限には利用することができず、茶葉の量や抽出効率を充分なものとすることができない。
【０００７】
また、図３（ｃ），図３（ｄ）に示すように、ティーバッグ２１の接着縁部２２ａ，２２ｂの中心位置間には接着縁部２３が形成されている。接着縁部２３ａまたは接着縁部２３ｂが形成されていると、ティーバッグ２１の横幅方向の内容量を最大限には利用することができず、茶葉の量や抽出効率を充分なものとすることができない。
【０００８】
本発明の目的は、ペットボトルに入れやすく、ペットボトル内から容易に除去することができ、茶葉の抽出効率を高めることができるペットボトル用ティーバッグを提供することにある。
【課題を解決するための手段】
【０００９】
本発明のペットボトル用ティーバッグは、透水性を備えた細長形状の袋体の内部に茶葉を有するティーバッグにおいて、袋体は、長手方向の両端において材料生地の端どうしを接着してなることを特徴とする。なお、本発明において接着とは、材料生地の端どうしが重なることなく固着していることを意味する。
【００１０】
このような構成とすることにより、ペットボトル用ティーバッグの長手方向の端部は、材料生地が重なっていないため、接着位置での強度を弱めることができ、折れ曲がりやすいものとすることができる。これにより、ペットボトルに入れやすくなり、またペットボトルに入れた後の回収時にペットボトル内から容易にティーバッグを取り出すことができる。また、袋体の長手方向の両端においては、接着面が形成されないことから、材料生地を有効利用できるとともに袋体の内容量を最大限に利用することができ、茶葉の抽出効率を高めることができる。
【００１１】
さらに袋体は、長手方向の両端の中心位置間において材料生地の端どうしを接着すれば、袋体の横幅方向においても、接着面が形成されないことから、袋体を膨らみやすいものとすることができ、茶葉の抽出効率をさらに高めることができる。また、上記のように袋体を製造すれば、一枚の矩形状の材料生地から容易に製造することができる。
【００１２】
ここで、材料生地の一部または全部を熱融着性繊維とすることが望ましく、材料生地に熱融着性繊維が含まれていれば、材料生地の端どうしを融着して確実に接着することができる。熱融着性繊維としては、ポリ乳酸、ナイロン、ポリエステル等が使用可能であるが、環境問題を鑑みて生分解性であるポリ乳酸繊維を用いることが望ましい。また、ペットボトル用ティーバッグをペットボトルから除去するときに、その端部が折り曲げられやすくなり、さらに取り出しやすいものとすることができる。
【００１３】
また、袋体の長手方向の両端を尖形とすることにより、ペットボトルから取り出すときに、ティーバッグの長手方向の先端をペットボトルの注ぎ口へと誘導しやすくなり、さらに取り出しやすいものとすることができる。
【発明の効果】
【００１４】
本発明の最大の特徴は、袋体の材料生地の端どうしを重ねることなく接着し、接着面が形成されないことにある。これにより、ペットボトル内で引っ掛かかることなく容易に取り出すことができるとともに、袋体の内容量を最大限に利用することができ、茶葉の抽出効率を高めることができる。
【発明を実施するための最良の形態】
【００１５】
以下、図１に基づいて本発明の第１の実施形態であるペットボトル用ティーバッグ（以下、ティーバッグと称す）について説明する。
図１（ａ）は、本発明の第１の実施形態であるティーバッグ示す正面図であり、同（ｂ）は前記（ａ）のＡ−Ａ線断面図、同（ｃ）は前記（ａ）のＢ−Ｂ線拡大断面図である。
【００１６】
本発明の第１の実施形態であるティーバッグ１は、透水性を備えた細長形状の袋体１ａの内部に茶葉４を有している。袋体１ａの長手方向の両端において材料生地の端どうしを重ねずに熱融着させて接着しており、この両端には接着部２ａ，２ｂが形成されている。また、この両端の中心位置間においても重ねずに熱融着により接着して接着部３が形成されている。袋体１ａの材料生地としては、比較的融点が低く熱融着性を有するポリ乳酸繊維を使用している。本実施形態の接着部３は、袋体１ａの一方の側（図１では正面側）に形成されているが、材料生地を２枚使用して正面側と背面側の両方に形成しても良い。
【００１７】
ここで、材料生地である熱融着性繊維としては、この端どうしを熱融着させることができればポリ乳酸繊維に限定されるものではなく、ナイロン，ポリエステル等を使用することができ、これらを一部または全部に用いて作られた不織布を使用することもできる。ただし、従来のティーバッグに使用されていたパルプ繊維は、熱融着を妨げるため、使用することは望ましくない。
【００１８】
接着部２ａ，２ｂは材料生地の端どうしを接着して、材料生地が重なっていないため、接着位置での強度を弱いものとすることができ、折れ曲がりやすいものとすることができる。これにより、ペットボトルに入れやすくなり、また一旦水に濡れると接着部２ａ，２ｂはさらに柔らかくなって、ペットボトルに入れた後の回収時にペットボトル内から容易にティーバッグ１を取り出すことができる。また、袋体１ａの長手方向の両端においては、接着面が形成されないことから、材料生地を有効利用できるとともに袋体の内容量を最大限に利用することができ、茶葉４の抽出効率を高めることができる。
【００１９】
また、接着部３においても、接着面が形成されないことから、袋体１ａは膨らみやすくなり、茶葉４を袋体１ａの内部で大きく移動させることによって、茶葉４の抽出効率をさらに高めることができる。なお、材料生地の端どうしを熱融着により接着しているため、接着面が形成されていなくても強度的には問題は無く、ペットボトル内での使用中に袋体１ａの接着部が剥がれることは無い。
【００２０】
ここで、袋体１ａの長手方向の長さαと、横幅方向の長さβとの比率は、１．５〜１０：１とし、袋体１ａ内における茶葉４の量は、５０％〜７０％程度とし、残りの部分は空気層とすることが望ましい。このような比率のティーバッグ１とすることにより、ペットボトルに対し挿入および取り出しが容易に行うことができるとともに、茶葉を袋体１ａ内において大きく移動させて抽出効率をさらに高めることができる。
【００２１】
さらに、袋体１ａの横幅の長さβをペットボトルの注ぎ口の内径の１〜１．５倍としている。接着部２ａ，２ｂにおいて材料生地の端どうしが接着されていることから、接着部２ａ，２ｂ付近が折れ曲がりやすくなるため、横幅の長さβをペットボトルの注ぎ口の内径よりも大きくしても、ティーバッグ１のペットボトルからの取り出しが可能となる。従って、ティーバッグ１は、ペットボトルからの取り出しを可能とした上で、袋体１ａの内容量を大きいものとすることができ、茶葉の抽出効率をさらに高めることができる。
【００２２】
ここで、ティーバッグ１の横幅の長さβを同内径の１倍未満とした場合には、ティーバッグ１の容量を大きいものとすることができないため、抽出効率が劣る。また、お茶を飲んでいる最中にティーバッグ１がペットボトルの注ぎ口から出てしまい、使用者の喉につかえる恐れがある。
横幅の長さβが同内径の１．５倍を超えると、ティーバッグ１がペットボトル内で引っ掛かったままとなり、ティーバッグ１のペットボトルからの取り出しが困難となる。
【００２３】
次に、図２に基づいて本発明の第２の実施形態であるティーバッグについて説明する。
本発明の第２の実施形態であるティーバッグ１１は、この袋体１１ａの長手方向の両端において斜めカットされて接着部１２ａ，１２ｂが尖形に形成されたものである。なお、接着部３および茶葉４は第１の実施形態と同一であり、同一符号を付したため、説明を省略する。このような形状とすることにより、ペットボトルから取り出すときに、ティーバッグ１１の長手方向の先端１３ａ，１３ｂをペットボトルの注ぎ口へと誘導しやすくなり、さらに取り出しやすいものとなる。
【００２４】
ここで、ティーバッグ１，１１の使用方法としては、ペットボトルに入れるときは、先にティーバッグ１を入れてその後に水を入れるか、水を入れた後にティーバッグを入れる。ペットボトルに入れた状態でお茶を飲んでいる最中には、ティーバッグ１，１１は、ペットボトルの注ぎ口に引っ掛かかり、そのままペットボトル外へと出ることがなく、使用者の喉につかえることはない。
また、ペットボトルからティーバッグ１，１１を除去するとき、水を空にしたペットボトルを逆さにすると、下方へ落下したティーバッグ１，１１は、ペットボトルの注ぎ口に引っ掛かかることとなる。このペットボトルを上下に振ることにより、ティーバッグ１，１１は、注ぎ口の方へ移動させて手で摘んで容易に取り出すことができる。
【００２５】
ティーバッグ１，１１は、使用後においてはそのまま捨てることができるが、袋体１ａ，１１ａの材料生地であるポリ乳酸繊維の生分解作用によりティーバッグ１，１１を堆肥等にすることもでき、資源の有効利用を図ることもできる。
【産業上の利用可能性】
【００２６】
本発明のティーバッグは、ペットボトル用として広く利用することができ、ペットボトルから除去しやすいものとして特に有効である。
【図面の簡単な説明】
【００２７】
【図１】本発明の第１の実施形態であるペットボトル用ティーバッグを示す図であり、（ａ）は正面図、（ｂ）は（ａ）のＡ−Ａ線断面図、（ｃ）は（ａ）のＢ−Ｂ線拡大断面図である。
【図２】本発明の第２の実施形態であるペットボトル用ティーバッグを示す図である。
【図３】従来のペットボトル用ティーバッグを示す図であり、（ａ）は正面図、（ｂ）は（ａ）のＡ−Ａ線断面図、（ｃ），（ｄ）は（ａ）のＢ−Ｂ線拡大断面図である。
【符号の説明】
【００２８】
１，１１  ペットボトル用ティーバッグ
１ａ  袋体
２ａ，２ｂ  接着部
３  接着部
４  茶葉
１２，１２ｂ  接着部
１３ａ，１３ｂ  先端
α  長手方向の長さ
β  横幅の長さ
【図１】
2006248605.tif 000003
【図２】
2006248605.tif 000004
【図３】
2006248605.tif 000005